(57)【特許請求の範囲】
【請求項１】
貯留した遊技球を発射装置に供給する供給皿と、前記供給皿の側方で下端部が左右方向に伸びる軸に軸支され、前記発射装置を開放及び遮蔽するサイドカバーと、を有する遊技機前面ユニットを備えた遊技機であって、
画像がプリントされたプリントシートと、
前記画像が外部から視認可能となるように前記プリントシートを保持し、前記遊技機前面ユニットの前面部に前記サイドカバー側にスライドさせることにより着脱自在に取り付けられる保持部材と、を備え、
前記保持部材は、前記サイドカバーが閉じられているときには前記サイドカバーによって前記スライドが規制されて着脱不能となり、前記サイドカバーが開放されたときに前記サイドカバーによる前記スライドの規制が解除されて着脱可能となることを特徴とする遊技機。
【請求項２】
前記プリントシートの後面に向けて光を照射する光源を、前記遊技機前面ユニットの前面部に設け、
前記プリントシートを、光を透過する素材から構成したことを特徴とする請求項１記載の遊技機。
【請求項３】
前記保持部材は、前記プリントシートの前面を覆うように設けられ光を透過可能な透明板部と、前記プリントシート及び前記透明板部を外部から視認可能となるように覆う枠体部と、前記プリントシートを保持する保持部と、を備えたことを特徴とする請求項１または２記載の遊技機。
【請求項４】
前記保持部は、前記透明板部に一体的に設けられるとともに、前記プリントシートを着脱自在に保持し、
前記透明板部は、前記枠体部に着脱自在に取り付けられることを特徴とする請求項３記載の遊技機。
【請求項５】
前記遊技機前面ユニットの前面部と前記保持部材との少なくとも一方にフックを、他方に前記フックを係止する係止長孔部を設け、
前記フックを前記係止長孔部に挿入した後に前記保持部材を移動し、前記係止長孔部で前記フックを係止することにより、前記保持部材を前記遊技機前面ユニットの前面部に取り付けることを特徴とする請求項１ないし４いずれか１つ記載の遊技機。
【請求項６】
前記遊技機前面ユニットの上方に開閉自在に設けられ、遊技盤が有する遊技領域を視認可能に覆うガラスを保持する前面扉を備え、
前記前面扉と前記サイドカバーとのいずれか一方に第１係合部を、他方に前記第１係合部に係合する第２係合部を設け、
前記サイドカバーを閉じると、前記第１係合部と前記第２係合部とが係合して前記サイドカバーが閉じ状態で保持され、前記第１係合部と前記第２係合部とが係合した状態で前記前面扉が閉じられると前記サイドカバーが開閉不能になり、前記前面扉を開放して前記第１係合部と前記第２係合部との係合を解除すると前記サイドカバーを開放できることを特徴とする請求項１ないし５いずれか１つ記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機には、パチンコ球（遊技球）が打ち出される遊技領域が形成された遊技盤が本体ユニットに配設され、その遊技盤の前面がガラス板を保持した前面扉により被覆される構成となっている。遊技盤面には、レールにより規制された遊技領域が形成され、この遊技領域には複数の釘、風車、始動入賞口、アタッカ、図柄可変表示装置、等が設けられた構成となっている。これら始動入賞口、アタッカ及び払出入賞口にパチンコ球が入ることを入賞とし、入賞によりパチンコ球を獲得することができる。パチンコ球には一定の価値が与えられ、遊技を行って獲得したパチンコ球を種々の景品に交換することができる。
【０００３】
近年のパチンコ機では、コストダウンの要望が強まっており、パチンコ機の各部材を、複数の機種に共通化して用いることにより、コストダウンを図ったパチンコ機が提案されている（例えば、特許文献１）。
【０００４】
パチンコ機は、パチンコ球を遊技領域に向けて打ち出す発射装置と、パチンコ球を貯留するとともに貯留したパチンコ球を発射装置に向けて送り出す供給皿と、を備えており、近年では、供給皿の前面に表示パネル（本件の保持部材）を設け、供給皿内部にＬＥＤ等の光源を配設し、ＬＥＤにより表示パネルを照らすパチンコ機が提案されている。
【特許文献１】特開２００３−１９０４４２号公報
【発明の開示】
【発明が解決しようとする課題】
【０００５】
しかしながら、上記したような供給皿の前面に表示パネルを設けたパチンコ機では、表示パネルは供給皿に固定されており、表示パネルを交換（例えば、パチンコ機の機種変更時）する場合には、供給皿を交換する必要があり、手間とコストがかかるという問題があった。
【０００６】
本発明は、上記課題を解決するためになされたものであり、供給皿の前面側に配設される表示パネルを容易に交換することができる遊技機を提供することを目的とする。
【課題を解決するための手段】
【０００７】
上記目的を達成するために、本発明の遊技機は、貯留した遊技球を発射装置に供給する供給皿と、前記供給皿の側方で下端部が左右方向に伸びる軸に軸支され、前記発射装置を開放及び遮蔽するサイドカバーと、を有する遊技機前面ユニットを備えた遊技機であって、画像がプリントされたプリントシートと、前記画像が外部から視認可能となるように前記プリントシートを保持し、前記遊技機前面ユニットの前面部に前記サイドカバー側にスライドさせることにより着脱自在に取り付けられる保持部材と、を備え、前記保持部材は、前記サイドカバーが閉じられているときには前記サイドカバーによって前記スライドが規制されて着脱不能となり、前記サイドカバーが開放されたときに前記サイドカバーによる前記スライドの規制が解除されて着脱可能となることを特徴とする。
【０００８】
また、前記プリントシートの後面に向けて光を照射する光源を、前記遊技機前面ユニットの前面部に設け、前記プリントシートを、光を透過する素材から構成することが好ましい。前記光源としては、蛍光管やＬＥＤ等が挙げられる。
【０００９】
さらに、前記保持部材は、前記プリントシートの前面を覆うように設けられ光を透過可能な透明板部と、前記プリントシート及び前記透明板部を外部から視認可能となるように覆う枠体部と、前記プリントシートを保持する保持部と、を備えることが好ましい。
【００１０】
また、前記保持部は、前記透明板部に一体的に設けられるとともに、前記プリントシートを着脱自在に保持し、前記透明板部は、前記枠体部に着脱自在に取り付けられることが好ましい。
【００１１】
前記遊技機前面ユニットの前面部と前記保持部材との少なくとも一方にフックを、他方に前記フックを係止する係止長孔部を設け、前記フックを前記係止長孔部に挿入した後に前記保持部材を移動し、前記係止長孔部で前記フックを係止することにより、前記保持部材を前記遊技機前面ユニットの前面部に取り付けることが好ましい。
【００１２】
前記遊技機前面ユニットの上方に開閉自在に設けられ、遊技盤が有する遊技領域を視認可能に覆うガラスを保持する前面扉を備え、前記前面扉と前記サイドカバーとのいずれか一方に第１係合部を、他方に前記第１係合部に係合する第２係合部を設け、前記サイドカバーを閉じると、前記第１係合部と前記第２係合部とが係合して前記サイドカバーが閉じ状態で保持され、前記第１係合部と前記第２係合部とが係合した状態で前記前面扉が閉じられると前記サイドカバーが開閉不能になり、前記前面扉を開放して前記第１係合部と前記第２係合部との係合を解除すると前記サイドカバーを開放できることが好ましい。
【発明の効果】
【００１３】
本発明の遊技機によれば、貯留した遊技球を発射装置に供給する供給皿と、供給皿の側方に開閉自在に設けられ、発射装置を開放及び遮蔽するサイドカバーと、を有する遊技機前面ユニットを備えた遊技機であって、画像がプリントされたプリントシートと、画像が外部から視認可能となるようにプリントシートを保持し、遊技機前面ユニットの前面部に抜き差しすることにより着脱自在に取り付けられる保持部材と、を備え、保持部材は、サイドカバーが閉じられているときには抜き差しが規制されて着脱不能となり、サイドカバーが開放されたときに抜き差しの規制が解除されて着脱可能となるから、メンテナンス用のサイドカバーを開放することにより、容易に保持部材を交換することができる。また、複数の機種（例えば、抽選確率が異なる）毎に応じたプリントシートを用意し、複数の機種に、それぞれに応じたプリントシートを配設することにより、複数の機種の区別化を図ることができる。
【００１４】
また、プリントシートの後面に向けて光を照射する光源を、遊技機前面ユニットの前面部に設け、プリントシートを、光を透過する素材から構成したから、プリントシートは光源から照射された光により照らされ、遊技者は、その照らされたプリントシートを視認することができるため、プリントシートによる装飾を、興趣に溢れたものにすることができる。
【００１５】
さらに、保持部材は、プリントシートの前面を覆うように設けられ光を透過可能な透明板部と、プリントシート及び透明板部を外部から視認可能となるように覆う枠体部と、プリントシートを保持する保持部と、を備えたから、遊技者は、透明板部を介してプリントシートの画像を視認することができるため、プリントシートを保護することができ、プリントシートによる装飾を、長い期間に亘って興趣に溢れたものにすることができる。
【００１６】
また、保持部は、透明板部に一体的に設けられるとともに、プリントシートを着脱自在に保持し、透明板部は、枠体部に着脱自在に取り付けられるから、破壊され易い透明板部、及び機種毎に異なる意匠の画像がプリントされたプリントシートを容易に交換することができる。
【００１７】
さらに、遊技機前面ユニットの前面部と保持部材との少なくとも一方にフックを、他方にフックを係止する係止長孔部を設け、フックを係止長孔部に挿入した後に保持部材を移動し、係止長孔部でフックを係止することにより、保持部材を遊技機前面ユニットの前面部に取り付けるから、フックを係止長孔部に挿入した後に保持部材を移動するだけで、容易に保持部材を遊技機前面ユニットの前面部に取り付けることができる。
【００１８】
遊技機前面ユニットの上方に開閉自在に設けられ、遊技盤が有する遊技領域を視認可能に覆うガラスを保持する前面扉を備え、前面扉とサイドカバーとのいずれか一方に第１係合部を、他方に第１係合部に係合する第２係合部を設け、サイドカバーは、前面扉が閉じられているときには第１係合部と第２係合部との係合により開閉不能となり、前面扉が開放されたときに第１係合部と第２係合部との係合が解除され開閉可能となるから、前面扉を開放しない限りは、サイドカバーを開放することができないため、サイドカバーが閉じられているときには着脱不能となる保持部材を不正に抜き取るという不正行為を、確実に防止することができる。
【発明を実施するための最良の形態】
【００１９】
図１に示すように、遊技機の１実施例であるパチンコ機（遊技機）２は、本体枠３の内部に遊技盤４が配設されており、本体枠３の前面には前面扉５が開閉自在に取り付けられている。前面扉５の下方には、打球供給用の供給皿６及びサイドカバー３１を含む供給皿ユニット（遊技機前面ユニット）７が設けられている。供給皿ユニット７は、ベース板８に、供給皿６と、公知の球発射装置（図示せず）によるパチンコ球（遊技球）９の打ち出し強さを調節する回動自在な操作ハンドル１０と、が設けられている。前面扉５は、遊技盤４が有する遊技領域４ａを視認可能に覆うガラス（図示せず）を保持している。なお、前記ガラスは、透明な板状のものであればよく、樹脂製の透明板を用いてもよい。
【００２０】
遊技盤４のパチンコ球９が打ち出される遊技領域４ａの略中央には、始動入賞口１２へパチンコ球９を入賞させるなどの所定入賞条件に基づいて遊技中に様々な図柄を液晶画面に所定時間内において変動表示させた後に停止表示させる図柄可変表示装置１１が設けられている。図柄可変表示装置１１の周りには、始動入賞口１２、通常入賞口１３、アタッカ１４、アウト口１５が設けられており、アタッカ１４は、遊技盤４に一体的に組み付けられている。また、遊技盤４の略中央には、センター役物１６が一体的に組み付けられており、センター役物１６に形成された開口１６ａを介して、図柄可変表示装置１１を視認することができる。
【００２１】
各入賞口１２,１３内には、各入賞口１２,１３に入ったパチンコ球９を検知する入賞球検知センサが設けられている。遊技者は、供給皿６にパチンコ球９を投入してパチンコ球９を、供給皿６内に設けられた誘導路を介して球発射装置へと供給される。そして、遊技者が、回動式の操作ハンドル１０を回動すると、操作ハンドル１０の回動量に応じた打ち出し強さでパチンコ球９を、遊技盤４の遊技領域４ａの上方に向けて打ち出される。打ち出されたパチンコ球９は遊技領域４ａの上方から流下する途中で各入賞口１２,１３のいずれかまたはアタッカ１４に入るか、あるいはアウト口１５から回収される。
【００２２】
アタッカ１４の奥には大入賞口１８が設けられており、大入賞口１８内には、大入賞口１８に入ったパチンコ球９を検知する大入賞球検知センサが設けられている。アタッカ１４は大入賞口１８を開放する開放位置と大入賞口１８を閉じる閉じ位置との間で回動自在に取り付けられている。なお、パチンコ機２の遊技領域４ａに設けられている複数の釘、風車などの構造物は公知であるので説明は省略する。
【００２３】
図２、図３及び図４に示すように、供給皿６の矩形状の前面（遊技機前面ユニットの前面部）の略水平平面領域には、矩形状のグラフィックシート（プリントシート）２１を保持する保持枠ユニット（保持部材）２２が着脱自在に取り付けられている。保持枠ユニット２２は、サイドカバー３１により着脱不能に固定される固定位置（図２参照）と、供給皿６に取り付けるときの取付位置（図３参照）との間で、左右方向にスライド自在に設けられている。なお、図４は、保持枠ユニット２２を供給皿６から取り外した状態を示している。
【００２４】
グラフィックシート２１は、弾性変形可能な薄板状で、且つ、光を透過する素材から構成され、パチンコ機２に応じた図形（キャラクタ、記号、文字等）がプリントされている（図６参照）。グラフィックシート２１は、供給皿６の前面内部に配設された蛍光管３５（図４及び図８参照）から照射された光により照らされる。詳しくは後述するように、グラフィックシート２１は、透明な樹脂により構成された透明保持板２５の後面側に配設されており、これにより、遊技者は、光で照らされたグラフィックシート２１を、透明保持板２５を介して視認することができる。
【００２５】
図５に示すように、供給皿６の矩形状の前面（遊技機前面ユニットの前面部）の上端部には、フレーム２４のフック２４ａが挿入される長孔状のフレーム挿入孔（係止長孔部）６ａと、透明保持板２５のフック２５ｃ（図６参照）が挿入される長孔状の保持板挿入孔（係止長孔部）６ｂと、が形成されている。供給皿６の矩形状の前面の下端部には、透明保持板２５の切欠き（係止長孔部）２５ｅ（図６参照）に挿入されるよう前方に突出した後にクランク状に折り曲がる略Ｌ字状のフック６ｃが形成されている。フレーム挿入孔６ａは２個、フック６ｃは３個、それぞれ水平方向に配列して形成されている。供給皿６の前面の左側端部には、サイドカバー３１の係止凸部３１ａが挿入される凹状の係止凹部６ｄが形成されている。なお、図５においては、透明保持板２５の図示を省略している。
【００２６】
図６及び図７に示すように、保持枠ユニット２２は、メッキ処理された枠状のフレーム（枠体部）２４と、フレーム２４の内部に取り付けられる透明保持板（透明板部）２５と、を備えて構成されている。フレーム２４は、プリントシート２１及び透明保持板２５を前面側の外部から視認可能となるように覆うものであり、上面には、供給皿６のフレーム挿入孔６に挿入されるよう上方に突出した後にクランク状に折り曲がる略Ｌ字状のフック２４ａが２個形成されている。フレーム２４の前面の左側端部（図７）には、サイドカバー３１の係止リブ３１ｂが挿入される凹状の係止溝２４ｂが形成されている。フレーム２４には、フレーム開口２４ｃが形成されている。詳しくは後述するように、遊技者は、フレーム開口２４ｃを介してグラフィックシート２１を視認する。なお、図６は後面側からの斜視図であり、図７は前面側からの斜視図である。
【００２７】
透明保持板２５は、透明な樹脂により構成されており、板状の本体部２５ａと、断面略Ｌ字状の係止部２５ｂと、を備えて構成されている。本体部２５ａには、供給皿６の保持板挿入孔６ｂに挿入されるよう後方に突出した後にクランク状に折り曲がる略Ｌ字状のフック２５ｃと、グラフィックシート２１を保持するシート保持リブ（保持部）２５ｄと、が形成されている。シート保持リブ２５ｄは、シート用凹部２５ｆの上側端部に３個及び下側端部に３個の計６個が水平方向に配列して形成されている。係止部２５ｂには、供給皿６のフック６ｃが挿入される長孔状の切欠き（係止長孔部）２５ｅが形成されている。切欠き２５ｅは３個形成されている。
【００２８】
本体部２５ａの後面（図６における前面）には、グラフィックシート２１が挿入されるシート用凹部２５ｆが形成されている。シート用凹部２５ｆは、その上下方向の長さが、グラフィックシート２１の上下方向の長さと略一致するように形成されている。シート用凹部２５ｆの後面視左側端部には、グラフィックシート２１の左右方向の位置決めを行うシート位置決め凸部２５ｇが上下に２個形成されている。シート用凹部２５ｆは、その後面視右側端からシート位置決め凸部２５ｇの後面視右側面までの長さが、グラフィックシート２１の左右方向の長さと略一致するように形成されている。これにより、シート用凹部２５ｆに挿入したグラフィックシート２１が、上下方向及び左右方向において位置決めされる。
【００２９】
シート保持リブ２５ｄは、シート用凹部２５ｆの凹面からシート保持リブ２５ｄの前面までの隙間Ｌ（図８参照）が、グラフィックシート２１の厚みと略一致するように形成されている。透明保持板２５は、ビス等によりフレーム２４のフレーム開口２４ｃの周囲部に裏面側から着脱自在に取り付けられている。
【００３０】
グラフィックシート２１を、透明保持板２５に取り付けるときには、グラフィックシート２１を、シート用凹部２５ｆとシート保持リブ２５ｄとの間に挿入する。グラフィックシート２１は、弾性変形可能に形成されており、グラフィックシート２１に力を加えて変形させてシート用凹部２５ｆとシート保持リブ２５ｄとの間に挿入した後、力を加えるのを止めると、グラフィックシート２１は弾性変形して元の板状に戻る。上記したように、シート保持リブ２５ｄは、シート用凹部２５ｆの凹面からシート保持リブ２５ｄの前面までの隙間Ｌ（図８参照）が、グラフィックシート２１の厚みと略一致するように形成されており、これにより、シート用凹部２５ｆとシート保持リブ２５ｄとの間に挿入されたグラフィックシート２１が、透明保持板２５から脱落することがない。
【００３１】
保持枠ユニット２２を供給皿６に取り付けるときには、先ず、図９（Ａ）及び図９（Ｂ）に示すように、フレーム２４のフック２４ａを供給皿６のフレーム挿入孔６ａに挿入するとともに、透明保持板２５のフック２５ｃを供給皿６の保持板挿入孔６ｂに挿入し、次に、フック６ｃを透明保持板２５の切欠き２５ｅに挿入する。そして、保持枠ユニット２２を右方にスライドする。これにより、図９（Ｃ）に示すように、フック２４ａ及びフック２５ｃが供給皿６に、フック６ｃが透明保持板２５に、それぞれ係止され、保持枠ユニット２２が供給皿６に取り付けられた状態（フレーム２４の上下方向及び前後方向の移動が規制された状態）となる。なお、図９においては、フック２４ａが供給皿６に係止される態様について図示したが、同様にして、フック２５ｃが供給皿６に係止され、フック６ｃが透明保持板２５に係止される。
【００３２】
図２及び図１０に示すように、供給皿ユニット７の操作ハンドル１０と反対側の上下に亘るサイド領域部には、球発射装置を露呈及び遮蔽するためのサイドカバー３１が設けられており、サイドカバー３１は、供給皿６の左方であってベース板８に前後方向に向けて開閉自在に軸支されている。サイドカバー３１には、閉じたときに、供給皿６の係止凹部６ｄに挿入される係止凸部３１ａと、フレーム２４の左側端部の上下方向に亘って形成された係止溝２４ｂに挿入されるレール状の係止リブ３１ｂと、が形成されている。サイドカバー３１を閉じると、係止リブ３１ｂがフレーム２４の係止溝２４ｂに挿入され、保持枠ユニット２２は、左右にスライド（抜き差し）する移動が規制される。サイドカバー３１を開放すると、係止リブ３１ｂが係止溝２４ｂから抜かれ、保持枠ユニット２２は、スライド移動の規制が解除されて着脱自在となる。
【００３３】
図２及び図１１に示すように、サイドカバー３１には、前面扉５の扉係合部（第１係合部）５ａ（図１参照）と係合するカバー係合部（第２係合部）３１ｃが形成されている。カバー係合部３１ｃには、ベース板８に設けられた係合凸部８ａが挿入される係合孔３１ｄが形成されている。サイドカバー３１は弾性変形可能な材質で構成され、且つ、カバー係合部３１ｃは弾性変形可能な形状で形成されている。サイドカバー３１を閉じるときに、カバー係合部３１ｃを変形させて、係合凸部８ａを係合孔３１ｄに挿入した後、カバー係合部３１ｃが弾性変形させて元の形状に戻すことにより、サイドカバー３１はベース板８に取り付けられる（図１１参照）。サイドカバー３１を開放するときには、カバー係合部３１ｃを変形させて、係合凸部８ａを係合孔３１ｄから抜き取ることにより、サイドカバー３１は開放可能となる。すなわち、サイドカバー３１は、着脱自在にベース板８に取り付けられる。
【００３４】
また、前面扉５を閉じると、扉係合部５ａとカバー係合部３１ｃとが係合して（カバー係合部３１ｃの前面部が扉係合部５ａに覆われ）、サイドカバー３１は回動が規制されて開閉不能となる。前面扉５の施錠を開放キーにより解除して前面扉５を開放すると、扉係合部とカバー係合部３１ｃとの係合が解除されて、サイドカバー３１は開閉可能となる。
【００３５】
図４及び図８に示すように、供給皿６の略水平平面領域には凹状の空間が設けられており、この凹状の空間の内部であって、グラフィックシート２１の後面側には、グラフィックシート２１の後面に向けて光を照射する蛍光管３５が２本配設されている。蛍光管３５は、パチンコ機２の駆動を制御する制御部に接続されており、制御部により駆動が制御される。グラフィックシート２１は、蛍光管３５から照射された光により照らされる。
【００３６】
上記のように構成されたパチンコ機２の作用について説明する。グラフィックシート２１は、蛍光管３５から照射された光により照らされており、遊技者は、光で照らされたグラフィックシート２１を、透明保持板２５を介して視認することができる。
【００３７】
パチンコ機２の機種変更を行う場合に、保持枠ユニット２２を交換することにより機種変更を行うことがある。この場合には、保持枠ユニット２２を取り外し、新たな保持枠ユニット２２を取り付ける。
【００３８】
保持枠ユニット２２をパチンコ機２から取り外す場合には、先ず、前面扉５を開放した後、サイドカバー３１を開放する。そして、保持枠ユニット２２を、左方にスライドさせる。保持枠ユニット２２を左方にスライドさせると、供給皿６によるフレーム２４のフック２４ａ及び透明保持板２５のフック２５ｃの係止が解除されるとともに、透明保持板２５による供給皿６のフック６ｃの係止が解除される。この状態で、保持枠ユニット２２を、上側端部を軸にして前方に向けて回転させて、フック６ｃを透明保持板２５の切欠き２５ｅから抜き取り、そして、フック２４ａを供給皿６のフレーム挿入孔６ａから、透明保持板２５のフック２５ｃを供給皿６の保持板挿入孔６ｂから、ぞれぞれ抜き取る。これにより、保持枠ユニット２２がパチンコ機２から取り外される。そして、新たな保持枠ユニット２２をパチンコ機２に取り付ける。
【００３９】
なお、グラフィックシート２１を交換することにより、パチンコ機２の機種変更を行う場合には、保持枠ユニット２２をパチンコ機２から取り外した後、グラフィックシート２１を保持枠ユニット２２から取り外し、新たなグラフィックシート２１を保持枠ユニット２２に取り付けて、この保持枠ユニット２２をパチンコ機２に取り付けることによって機種変更を行う。
【００４０】
保持枠ユニット２２をパチンコ機２に取り付ける場合には、先ず、フレーム２４のフック２４ａを供給皿６のフレーム挿入孔６ａに、透明保持板２５のフック２５ｃを供給皿６の保持板挿入孔６ｂに、それぞれ挿入する。次に、保持枠ユニット２２を、上側端部を軸にして後方に向けて回転させて、供給皿６のフック６ｃを透明保持板２５の切欠き２５ｅに挿入する。そして、保持枠ユニット２２を右方にスライドさせる。保持枠ユニット２２を右方にスライドさせると、フック２４ａ及びフック２５ｃが供給皿６に、フック６ｃが透明保持板２５に、それぞれ係止され、保持枠ユニット２２が供給皿６に取り付けられた状態となる。この状態で、サイドカバー３１を閉じると、図１０に示すように、係止凸部３１ａが供給皿６の係止凹部６ｄに、係止リブ３１ｂがフレーム２４の係止溝２４ｂに、それぞれ挿入される。そして、前面扉５を閉じると、サイドカバー３１が開放不能となり、保持枠ユニット２２が左右にスライド不能に固定される。
【００４１】
このように、グラフィックシート２１が取り付けられる保持枠ユニット２２を、供給皿６に着脱自在に取り付けたから、パチンコ機２の機種変更を行うために保持枠ユニット２２を交換する場合に、保持枠ユニット２２のみを交換することができ、供給皿６を、機種の異なる複数のパチンコ機２で共通化して使用することができるため、グラフィックシート２１が供給皿６に固着され、グラフィックシート２１を交換するときに供給皿６を交換する必要があるパチンコ機に比べて、交換の手間を省くことができるとともに、パチンコ機２のコストダウンを図ることができる。
【００４２】
また、サイドカバー３１に、フレーム２４の係止溝２４ｂに挿入される係止リブ３１ｂを形成したから、サイドカバー３１を閉じたときには保持枠ユニット２２が着脱不能となり、サイドカバー３１を開放したときに保持枠ユニット２２が着脱自在となり、サイドカバー３１を開放しない限りは、保持枠ユニット２２を取り外すことができないため、保持枠ユニット２２を取り外したときに露呈される供給皿６内部の各種装置に対して不正行為をされるということを防止することができる。
【００４３】
さらに、グラフィックシート２１の後面に向けて光を照射する蛍光管３５を設け、グラフィックシート２１の前面側に透明保持板２５を配設したから、遊技者は、光で照らされたグラフィックシート２１を、透明保持板２５を介して視認することができる。
【００４４】
また、保持枠ユニット２２は、グラフィックシート２１を着脱自在に保持するから、容易にグラフィックシート２１を交換することができ、グラフィックシート２１を交換することによりパチンコ機２の機種変更を行う場合に、グラフィックシート２１のみを交換することができる。
【００４５】
さらに、透明保持板２５にグラフィックシート２１を保持するシート保持リブ２５ｄを形成したから、透明なレンズ部材と、グラフィックシート２１を保持する保持部材との２個の部材を設けた場合に比べて、部品点数の削減を図ることができる。
【００４６】
また、透明保持板２５を、ビスによりフレーム２４に着脱自在に取り付けたから、傷付けられやすく交換する頻度が高い透明保持板２５を交換する場合にも、透明保持板２５のみを交換することができ、メッキ処理された高価なフレーム２４を再利用することができるため、コストアップを防ぐことができる。
【００４７】
さらに、サイドカバー３１に、前面扉５の扉係合部５ａと係合するカバー係合部３１ｃを形成したから、前面扉５を閉じたときには、サイドカバー３１が開閉不能となり、前面扉５を開放したときに、サイドカバー３１が開閉可能となり、前面扉５を開放しない限りは、サイドカバー３１を開放することができないため、サイドカバー３１の開放により露呈される球発射装置に対して不正行為をされるということを防止することができる。
【００４８】
なお、上記実施形態では、保持枠ユニット２２を左方にスライドさせることにより、保持枠ユニット２２を供給皿６から取り外したが、これに限定されることなく、保持枠ユニット２２を右方、上方、下方にスライドさせることにより、保持枠ユニット２２を供給皿６から取り外すようにしてもよい。
【００４９】
また、上記実施形態では、保持枠ユニット２２を、フレーム２４と透明保持板２５とから構成し、グラフィックシート２１を、透明保持板２５に取り付けたが、これに限定されることなく、フレーム２４と透明保持板２５とを１個の部材（フレーム枠部材）となるように一体的に形成し、このフレーム枠部材にグラフィックシート２１を取り付けるようにしてもよい。
【図面の簡単な説明】
【００５０】
【図１】本発明を実施したパチンコ機の外観を示す斜視図である。
【図２】サイドカバーを開放し、保持枠ユニットが固定位置に位置する状態の供給皿と保持枠ユニットとサイドカバーとを示す斜視図である。
【図３】サイドカバーを開放し、保持枠ユニットが取付位置に位置する状態の供給皿と保持枠ユニットとサイドカバーとを示す斜視図である。
【図４】サイドカバーを開放し、保持枠ユニットを供給皿から取り外した状態の供給皿と保持枠ユニットとサイドカバーとを示す正面上方側からの斜視図である。
【図５】サイドカバーを開放し、保持枠ユニットを供給皿から取り外した状態の供給皿と保持枠ユニットとサイドカバーとを示す正面下方側からの斜視図である。
【図６】保持枠ユニットを示す後面側からの斜視図である。
【図７】保持枠ユニットを示す正面側からの斜視図である。
【図８】供給皿と保持枠ユニットとを示す側面断面図である。
【図９】供給皿のフレーム挿入孔とフレームのフックとを示す正面断面図である。
【図１０】供給皿と保持枠ユニットとサイドカバーとを示す上面断面図である。
【図１１】ベース板の係合凸部とサイドカバーのカバー係合部及び係合孔とを示す斜視図である。
【符号の説明】
【００５１】
２  パチンコ機（遊技機）
３  本体枠
４  遊技盤
４ａ  遊技領域
５  前面扉
５ａ  扉係合部（第１係合部）
６  供給皿
６ａ  フレーム挿入孔（係止長孔部）
６ｂ  保持板挿入孔（係止長孔部）
６ｃ  フック
７  供給皿ユニット（遊技機前面ユニット）
９  パチンコ球（遊技球）
２１  グラフィックシート（プリントシート）
２２  保持枠ユニット（保持部材）
２４  フレーム（枠体部）
２４ａ  フック
２４ｂ  係止溝
２５  透明保持板（透明板部）
２５ｃ  フック
２５ｄ  シート保持リブ（保持部）
２５ｅ  切欠き（係止長孔部）
３１  サイドカバー
３１ａ  係止凸部
３１ｂ  係止リブ
３１ｃ  カバー係合部（第２係合部）
３５  蛍光管（光源）
【図１】
0004633634.tif 000002
【図２】
0004633634.tif 000003
【図３】
0004633634.tif 000004
【図４】
0004633634.tif 000005
【図５】
0004633634.tif 000006
【図６】
0004633634.tif 000007
【図７】
0004633634.tif 000008
【図８】
0004633634.tif 000009
【図９】
0004633634.tif 000010
【図１０】
0004633634.tif 000011
【図１１】
0004633634.tif 000012